(57)【要約】【課題】室内機の性能低下を抑制しつつ、天井裏の空間の高さが低い場所にも設置することができる天井設置型室内機を提供する。【解決手段】天井設置型室内機１は、室内機本体３と、室内機本体３の下部に取り付けられる下面パネル５とを備える。下面パネル５は、空気吸込口５１から吸い込まれる空気が通過するエアフィルタ５３を有する。エアフィルタ５３、ドレンパン３２の底部３２ａ及び空気吹出口５２は、この順に水平方向に並んでいる。【選択図】図３
2014129927.tif 000002
【特許請求の範囲】
【請求項１】
熱交換器（３１）、及び前記熱交換器（３１）において生じるドレン水を受けるドレンパン（３２）を有する室内機本体（３）と、
空気吸込口（５１）及び空気吹出口（５２）が形成された下面パネル（５）と、を備え、
前記下面パネル（５）は、前記空気吸込口（５１）から吸い込まれる空気が通過するエアフィルタ（５３）を有し、
前記エアフィルタ（５３）、前記ドレンパン（３２）の底部（３２ａ）及び前記空気吹出口（５２）がこの順に水平方向に並ぶ天井設置型室内機。
【請求項２】
前記室内機本体（３）は、熱交換器（３１）及び前記ドレンパン（３２）を囲むケーシング（３０）をさらに有し、
前記ドレンパン（３２）の底部（３２ａ）の下面（３２Ｕ）は、前記ケーシング（３０）の下端（３０ｃ）よりも下方に位置している、請求項１に記載の天井設置型室内機。
【請求項３】
前記ドレンパン（３２）よりも水平方向における前記空気吹出口（５２）側には、前記空気吹出口（５２）における空気流路の内壁を構成する流路構成部材（５５）が配置されている、請求項１又は２に記載の天井設置型室内機。
【請求項４】
前記ドレンパン（３２）は、断熱材によって形成されており、
前記ドレンパン（３２）と前記流路構成部材（５５）との間には、前記流路構成部材（５５）を補強する補強部材（５６）が配置されている、請求項３に記載の天井設置型室内機。
【請求項５】
前記流路構成部材（５５）は、前記ドレンパン（３２）の下方には設けられていない、請求項３又は４に記載の天井設置型室内機。
【発明の詳細な説明】
【技術分野】
【０００１】
本発明は、天井に設けられる天井設置型室内機に関する。
【背景技術】
【０００２】
従来、天井に設けられる天井設置型室内機が知られている。天井設置型室内機は、室内機本体と、下面パネル（化粧パネル）とを備える。室内機本体は、天井に形成された開口に挿入されて天井裏の空間に配置される。下面パネルは、空調空間に露出した状態で室内機本体の下部に取り付けられる（例えば特許文献１）。
【０００３】
ところで、室内機本体は、熱交換器、この熱交換器において生じるドレン水を受けるドレンパン、送風機、送風機に吸込空気を案内するベルマウスなどの種々の構成要素部品を含み、これらの構成要素部品がケーシングに収容された構造を有する。このように室内機本体は種々の構成要素部品を含むので、室内機本体の高さ方向の寸法は大きくなりやすい。従って、天井裏の空間の高さが低い場所には室内機を設置できない場合がある。
【０００４】
このような場合、天井裏の高さが低い場所に室内機を設置するために、構成要素部品の高さ方向の寸法を小さくして室内機本体の高さ方向の寸法を小さくするという対策が考えられる。
【先行技術文献】
【特許文献】
【０００５】
【特許文献１】特開２０００−１１１１３７号公報
【発明の概要】
【発明が解決しようとする課題】
【０００６】
しかしながら、例えば熱交換器の高さ方向の寸法を小さくすると、熱交換の効率が低下する場合があり、また、送風機やベルマウスの高さ方向の寸法を小さくすると、風量の低下、損失の増加、騒音の増大などが生じる場合がある。すなわち、これらの構成要素部品の高さ方向の寸法を小さくすると、室内機の性能が低下する場合がある。
【０００７】
本発明の目的は、室内機の性能低下を抑制しつつ、天井裏の空間の高さが低い場所にも設置することができる天井設置型室内機を提供することである。
【課題を解決するための手段】
【０００８】
本発明の天井設置型室内機は、室内機本体（３）と、下面パネル（５）とを備える。室内機本体（３）は、熱交換器（３１）、及び前記熱交換器（３１）において生じるドレン水を受けるドレンパン（３２）を有する。下面パネル（５）には、空気吸込口（５１）及び空気吹出口（５２）が形成されている。前記下面パネル（５）は、前記空気吸込口（５１）から吸い込まれる空気が通過するエアフィルタ（５３）を有する。前記エアフィルタ（５３）、前記ドレンパン（３２）の底部（３２ａ）及び前記空気吹出口（５２）は、この順に水平方向に並んでいる。
【０００９】
この構成では、エアフィルタ（５３）は、ドレンパン（３２）に対して水平方向に並ぶ位置に配置され、ドレンパン（３２）の下方には配置されない。したがって、熱交換器、送風機、ベルマウスなどの構成要素部品の高さ寸法を小さくしなくても、天井設置型室内機の高さ寸法を小さくすることができる。これにより、室内機の性能低下を抑制しつつ、天井裏の空間の高さが低い場所にも設置することができる。また、エアフィルタ（５３）、ドレンパン（３２）の底部（３２ａ）及び空気吹出口（５２）がこの順に水平方向に並んでいるので、例えば冷房運転時において、エアフィルタ（５３）を通過する暖気と空気吹出口（５２）を通過する冷気との距離を、少なくともドレンパン（３２）の底部（３２ａ）の大きさ以上に離すことができる。これにより、空気吸込口（５１）の周辺において結露が生じるのを抑制することができる。
【００１０】
具体的に、例えば、前記天井設置型室内機において、前記室内機本体（３）は、熱交換器（３１）及び前記ドレンパン（３２）を囲むケーシング（３０）をさらに有し、前記ドレンパン（３２）の底部（３２ａ）の下面（３２Ｕ）は、前記ケーシング（３０）の下端（３０ｃ）よりも下方に位置しているのが好ましい。
【００１１】
この構成のようにドレンパン（３２）の底部（３２ａ）の下面（３２Ｕ）がケーシング（３０）の下端（３０ｃ）よりも下方に位置するようにドレンパン（３２）を配置することによって、ドレンパン（３２）の底部（３２ａ）をケーシング（３０）から下方に突出させることができ、そして、下方に突出したドレンパン（３２）の底部（３２ａ）を、エアフィルタ（５３）及び空気吹出口（５２）に対して水平方向に並べることができる。
【００１２】
前記天井設置型室内機において、前記ドレンパン（３２）よりも水平方向における前記空気吹出口（５２）側には、前記空気吹出口（５２）における空気流路の内壁を構成する流路構成部材（５５）が配置されていてもよい。
【００１３】
この構成では、流路構成部材（５５）によって構成される空気流路の内壁に案内される気流を所望の方向に吹き出すことができる。
【００１４】
前記天井設置型室内機において、前記ドレンパン（３２）は、断熱材によって形成されており、前記ドレンパン（３２）と前記流路構成部材（５５）との間には、前記流路構成部材（５５）を補強する補強部材（５６）が配置されているのが好ましい。
【００１５】
この構成では、例えば冷房運転時において、空気吸込口（５１）から吸い込まれる暖気と、空気吹出口（５２）から吹き出される冷気とは、断熱材によって形成されたドレンパン（３２）によって水平方向に隔てられているので、空気吸込口（５１）の周辺において結露が生じるのをさらに抑制することができる。したがって、流路構成部材（５５）は、断熱機能を有していなくてもよいので、流路構成部材（５５）の厚み（水平方向の寸法）は、空気吹出口（５２）における空気流路の内壁形状（例えば湾曲形状）を形成できる必要最小限の大きさに設定できる。そして、必要最小限の厚みを有する流路構成部材（５５）は、補強部材（５６）によって補強されるので、形状の安定性及び強度が向上する。これにより、室内機の製造時や室内機の現場設置時に、流路構成部材（５５）を所定の場所に取り付ける作業の作業性が向上するとともに、作業時に流路構成部材（５５）が損傷を受けることを抑制できる。
【００１６】
前記天井設置型室内機において、前記流路構成部材（５５）が前記ドレンパン（３２）の下方に設けられていない場合には、天井設置型室内機の高さ寸法が大きくなるのをさらに抑制できる。
【発明の効果】
【００１７】
以上説明したように、本発明の天井設置型室内機は、室内機の性能低下を抑制しつつ、天井裏の高さが低い場所にも設置することができる。
【図面の簡単な説明】
【００１８】
【図１】本発明の一実施形態に係る天井設置型室内機を示す断面図である。
【図２】実施形態に係る天井設置型室内機の室内機本体と、下面パネルとを示す断面図である。
【図３】実施形態に係る天井設置型室内機の要部を拡大した断面図である。
【図４】実施形態における下面パネルと、ドレンパンとを示す斜視図である。
【図５】実施形態におけるドレンパン及びドレンポンプを示す斜視図である。
【図６】図５に示すドレンポンプの辺りを拡大した平面図である。
【発明を実施するための形態】
【００１９】
以下、本発明の一実施形態に係る天井設置型室内機１について図面を参照して説明する。
【００２０】
＜室内機の全体構造＞
図１に示す本実施形態の室内機１は、図略の室外機とともに空気調和装置を構成する。この空気調和装置は、蒸気圧縮式の冷凍サイクルを行う図略の冷媒回路を有する。本実施形態の室内機１は、いわゆる天井埋込型と呼ばれるタイプの天井設置型室内機である。室内機１は、室内機本体３と、下面パネル（化粧パネル）５とを備える。
【００２１】
室内機本体３は、天井７１に形成された開口に挿入され、天井裏の空間Ｓ１に配置される。下面パネル５は、室内機本体３の下方に配置され、室内機本体３の下部又は天井７１に取り付けられる。下面パネル５は、平面視の形状が室内機本体３よりも一回り大きく、天井７１の開口を覆った状態で空調空間Ｓ２に露出している。本実施形態の下面パネル５は、平面視で略矩形状であるが、これに限られない。下面パネル５は、空気吸込口５１と、空気吹出口５２とを有する。
【００２２】
図１〜図３に示すように、室内機本体３は、ケーシング３０と、ケーシング３０内に収容された種々の構成要素部品とを備える。構成要素部品は、熱交換器３１と、熱交換器３１において生じるドレン水を受けるドレンパン３２と、送風機３３と、ベルマウス３４とを含む。ケーシング３０は、天板３０ａと、天板３０ａの周縁から下方に延びる側板３０ｂとを有する箱状体である。ケーシング３０の下部は開口している。ケーシング３０の下部開口は、下面パネル５によって塞がれている。ケーシング３０の内側面及び下面には断熱材３６が設けられている。ケーシング３０の内側面（内側面に設けられた断熱材３６）と、熱交換器３１との間の空間は、熱交換器３１において熱交換された空気を空気吹出口５２まで下方に案内する案内流路３５として機能する。
【００２３】
下面パネル５は、パネル内枠部５９と、下面パネル５の周縁部を構成するパネル外枠部６１と、空気吸込口５１から吸い込まれる空気が通過するエアフィルタ５３とを有する。パネル内枠部５９は、空気吸込口５１と空気吹出口５２との間に設けられている。パネル内枠部５９は、中央に開口（空気吸込口５１）が形成されている。パネル内枠部５９は、底面視で環形状を呈する。パネル外枠部６１は、空気吹出口５２の外側に設けられており、下面パネル５の外周縁を含む。パネル外枠部６１は、底面視で環形状を呈する。パネル外枠部６１は、下面パネル５の外周縁から内側に延びる上面６１ａを有する（図３）。このパネル外枠部６１の上面６１ａは天井７１に対面する。
【００２４】
図３に示すように、下面パネル５は、外枠部６１の上面６１ａの内側端部から上方に延びる延出部６２をさらに有する。この延出部６２の上端は、ケーシング３０の側板３０ｂの下端３０ｃと当接又は近接している。このような延出部６２が設けられていることにより、後述するドレンパン配置部５４を設けることができる。
【００２５】
また、本実施形態では、下面パネル５は、流路構成部材５５と、補強部材５６とをさらに有するが、これらは省略可能である。流路構成部材５５と補強部材５６とは、流路構成体を構成している。流路構成体には流路構成部材５５が含まれていればよく、補強部材５６は必ずしも含まれていなくてもよい。
【００２６】
本実施形態では、下面パネル５は、ドレンパン３２の底部３２ａを配置するためのドレンパン配置部５４をさらに有する。ドレンパン配置部５４は、エアフィルタ５３よりも水平方向における空気吹出口５２側に設けられている。ドレンパン配置部５４については後述する。
【００２７】
下面パネル５の空気吸込口５１は、空調空間Ｓ２の空気を室内機本体３内に吸入するための開口である。本実施形態では、空気吸込口５１は、図４に示すように例えば矩形状などの多角形を有するが、円形などであってもよい。空気吸込口５１は、下面パネル５の中央部に設けられているが、これに限られない。空気吸込口５１には、グリル５８が設けられている。
【００２８】
空気吹出口５２は、熱交換器３１において温度調節された空気を空調空間Ｓ２に吹き出すための開口である。下面パネル５は、１つ又は複数の空気吹出口５２を有する。本実施形態では、下面パネル５には複数の空気吹出口５２が設けられている。具体的に、本実施形態では、複数の空気吹出口５２は、空気吸込口５１の周囲を囲むように配置されている。本実施形態では、空気吹出口５２は、平面視において下面パネル５の縁部に沿って延びる細長い形状を有する。また、本実施形態では、下面パネル５の角部に対応する位置にも空気吹出口が設けられているが、このような角部の空気吹出口は省略することができる。
【００２９】
空気吹出口５２には、室内への空気の吹き出し方向を調節する羽根５７が設けられている。羽根５７は、空気吹出口５２に対し回動可能に設けられている。具体的に、羽根５７は、空気吹出口５２の長手方向に沿って延びる細長い板状の部材である。羽根５７の長手方向の両端部は、長手方向の軸周りに回動可能になるように下面パネル５に支持されている。
【００３０】
送風機３３は、室内機１において空気吸込口５１から空気吹出口５２までの空気の流れを形成する。送風機３３としては、例えばターボファンなどの遠心送風機を例示できるが、これに限られない。送風機３３は、羽根車３３ａとファンモータ３３ｂとを備える。ファンモータ３３ｂは、室内機本体３の天板３０ａの略中央に固定されている。羽根車３３ａは、ハブ３３１と、シュラウド３３２と、複数のファンブレード３３３とを含む。ハブ３３１は、ファンモータ３３ｂのシャフトの下端部に固定されている。シュラウド３３２は、ハブ３３１の下方に配置されている。複数のファンブレード３３３は、ハブ３３１とシュラウド３３２との間において羽根車３３ａの回転方向に沿って所定の間隔をあけて配列されている。
【００３１】
ベルマウス３４は、羽根車３３ａに気流を案内する。ベルマウス３４の上端部は、シュラウド３３２の下端部の近傍に配置されている。ベルマウス３４の下端部は、下面パネル５に近接又は当接している。
【００３２】
熱交換器３１は、冷房運転時には冷媒の蒸発器として機能し、暖房運転時には冷媒の凝縮器として機能する。熱交換器３１は、室内機本体３内に吸い込まれる空調空間Ｓ２の空気と冷媒との熱交換を行う。熱交換器３１は、冷房運転時には空調空間Ｓ２の空気を冷却し、暖房運転時には空調空間Ｓ２の空気を暖める。熱交換器３１としては、例えばフィンアンドチューブ型熱交換器を例示できるが、これに限られない。熱交換器３１は、厚み（本実施形態では水平方向の寸法）の小さな扁平な形状を有している。熱交換器３１は、ドレンパン３２から上方に起立した状態で送風機３３の周囲を囲むように配置されている。
【００３３】
ドレンパン３２は、熱交換器３１において生じるドレン水を収容する。収容されたドレン水は、図５に示すドレンポンプ３７によって室内機１の外に排出される。ドレンパン３２は、熱交換器３１の下端部に沿って設けられた皿形状を有する。ドレンパン３２は、断熱材によって形成されている。断熱材としては、例えば発泡ポリスチレンなどの発泡プラスチックを例示することができるが、これに限られない。
【００３４】
図３の断面図に示すように、ドレンパン３２は、熱交換器３１の下端部に対して上下方向に対向する底部３２ａと、底部３２ａのエアフィルタ５３側の側端部から上方に延びる第１側部３２ｂ（内側部３２ｂ）と、底部３２ａの空気吹出口５２側の側端部から上方に延びる第２側部３２ｃ（外側部３２ｃ）とを含む。底部３２ａは、上下方向の寸法である厚みＴと、水平方向の寸法である幅Ｗを有する部位である。ドレンパン３２の幅Ｗは、熱交換器３１の厚さよりも大きい。
【００３５】
本実施形態では、ドレンパン３２は、フランジ部３２ｄと、フランジ部３２ｄに設けられた貫通孔３２ｅとをさらに有するが、これらのフランジ部３２ｄ及び貫通孔３２ｅは省略可能である。フランジ部３２ｄは、第２側部３２ｃに対して略水平方向外側に位置している。貫通孔３２ｅは、案内流路３５と空気吹出口５２との間に設けられており、これらを連通させるための開口である。
【００３６】
エアフィルタ５３は、空気吸込口５１から吸入される空気中の塵埃を除去する。エアフィルタ５３は、空気吸込口５１とベルマウス３４との間に設けられている。エアフィルタ５３は、ベルマウス３４の下端部の入口を覆う大きさを有する。エアフィルタ５３は、空気吸込口５１に沿って水平方向に平行な姿勢で設けられている。図３に示す本実施形態では、エアフィルタ５３は波形状を有するがこれに限られない。
【００３７】
＜本実施形態の特徴＞
次に、本実施形態の特徴について説明する。図２に示すように、本実施形態では、室内機本体３は、ドレンパン３２が下方に突出している。具体的に、ドレンパン３２の底部３２ａの下面３２Ｕは、室内機本体３のケーシング３０の下端３０ｃよりも下方に位置している。ドレンパン３２の底部３２ａの下面３２Ｕは、パネル外枠部６１の上面６１ａよりも下方に位置している。熱交換器３１の下端は、ケーシング３０の下端３０ｃよりも下方に位置している。
【００３８】
ドレンパン配置部５４には、ドレンパン３２の突出部分（底部３２ａ）が配置される。図２に示すように、本実施形態では、ドレンパン配置部５４は、ドレンパン３２の底部３２ａが入り込むことが可能な凹形状を呈する空間である。ただし、ドレンパン配置部５４の形状は、凹形状に限られない。なお、本実施形態では、下面パネル５は、前記流路構成体の内側の領域が全体的に下方に凹んだ凹形状空間を有している。したがって、この凹形状空間にはベルマウス３４の下端部の一部が入り込むことも可能である。
【００３９】
図３に示すように、本実施形態では、ドレンパン配置部５４がドレンパン３２の底部３２ａを収容するという機能は、パネル内枠部５９の上面の少なくとも一部と、前記流路構成体の内側面の少なくとも一部とにより機能している。ドレンパン配置部５４は、パネル内枠部５９の上面の一部又は全部によって下側が区画されている。また、ドレンパン配置部５４は、前記流路構成体の内側面の一部又は全部によって一方のサイド（図２の右サイド）と他方のサイド（図２の左サイド）が区画されている。なお、ドレンパン配置部５４は、パネル内枠部５９以外の部材によって区画されていてもよい。また、ドレンパン配置部５４は、前記流路構成体以外の部材によって区画されていてもよい。
【００４０】
本実施形態では、ドレンパン３２の底部３２ａが下面パネル５のドレンパン配置部５４に収容される構造を採用しているので、天井裏の空間Ｓ１における室内機１の高さＨ２が低減されている（図１）。したがって、本実施形態の室内機１は、天井裏の空間Ｓ１の高さＨ１が低い場所にも設置することができる。
【００４１】
ドレンパン配置部５４は、エアフィルタ５３よりも水平方向における空気吹出口５２側に設けられている。ドレンパン配置部５４には、ドレンパン３２の底部３２ａが配置される。ドレンパン３２の底部３２ａがドレンパン配置部５４に配置されることによって、エアフィルタ５３、ドレンパン３２の底部３２ａ及び空気吹出口５２は、この順に水平方向に並ぶ。
【００４２】
ドレンパン３２及びエアフィルタ５３を水平方向に見たときに、ドレンパン３２の底部３２ａの少なくとも一部がエアフィルタ５３に重なるような位置関係でドレンパン３２及びエアフィルタ５３が配置されている。ドレンパン３２の底部３２ａの下面３２Ｕは、高さ方向において、エアフィルタ５３の上端と下端との間の範囲内に位置している。また、ドレンパン３２及び空気吹出口５２を水平方向に見たときに、ドレンパン３２の底部３２ａの少なくとも一部が空気吹出口５２に重なるような位置関係でドレンパン３２及び空気吹出口５２が配置されている。
【００４３】
図３の断面図において、底部３２ａの下方には下面パネル５の底板（パネル内枠部５９）が設けられ、底部３２ａの水平方向内側（空気吸込口５１側）にはエアフィルタ５３が設けられ、底部３２ａの水平方向外側（空気吹出口５２側）には流路構成部材５５が設けられている。流路構成部材５５は、ドレンパン３２の下方には設けられていない。なお、流路構成部材５５は省略することも可能である。
【００４４】
空気吹出口５２は、流路構成部材５５の内壁面５５ａと、流路構成部材５５に対して外側に対向する位置に流路構成部材５５と間隔をあけて設けられた第２流路構成部材６０の内壁面６０ａとによって区画されている。空気が空気吹出口５２から斜め下方に吹き出されるように、内壁面５５ａ及び内壁面６０ａは、下方に向かうにつれて外側（空気吸込口５１とは反対側）に位置するように傾斜又は湾曲している。流路構成部材５５及び第２流路構成部材６０は、上述したような断熱材によって形成することができるが、これに限られない。
【００４５】
上記の位置関係は、結露抑制効果にも寄与している。具体的に、ドレンパン３２とエアフィルタ５３とは水平方向に並ぶ位置に設けられており、ドレンパン３２の下方には空気吸込口５１は設けられていない。図１及び図３に示すように、室内機本体３の内部に空調空間Ｓ２の空気が吸い込まれる吸込領域Ａ１は、空気吸込口５１が設けられている領域である。室内機本体３から空調空間Ｓ２に空気が吹き出される領域Ａ３は、空気吹出口５２が設けられている領域である。領域Ａ１と領域Ａ３との間を断熱材（ドレンパン３２の材料）によって水平方向に隔てている領域Ａ２は、ドレンパン３２の底部３２ａが配置されている領域である。
【００４６】
したがって、例えば冷房運転時において、空気吸込口５１から吸い込まれる暖気と、空気吹出口５２から吹き出される冷気とは、断熱材により構成されるドレンパン３２の底部３２ａによって水平方向に隔てられるので、空気吸込口５１の周辺において結露が生じるのを抑制することができる。
【００４７】
本実施形態では、ドレンパン３２と流路構成部材５５との間には、流路構成部材５５を補強する補強部材５６が配置されている。補強部材５６は、流路構成部材５５の内側面に取り付けられた薄板状の部材であるが、これに限られない。本実施形態では、補強部材５６は、流路構成部材５５の内側面のほぼ全域に設けられているが、流路構成部材５５の内側面の一部に設けられているだけでもよい。補強部材５６は、平面視でドレンパン３２の底部３２ａの外周を囲むような環状の形態が例示できるが、これに限られない。補強部材５６は、複数の部材により構成されていてもよい。
【００４８】
ドレンポンプ３７は、ドレンパン３２内の水を室内機１の外に排出する。図５及び図６に示すように、ドレンポンプ３７は、ドレンパン３２の上方に配置されている。ドレンポンプ３７は、ドレンパン３２の角部に対して上下方向に対向する位置に設けられている。ドレンポンプ３７は、室内機本体３において例えば支持部材３８などによって支持されている。
【００４９】
具体的に、本実施形態では、ドレンポンプ３７は、ドレンパン３２の底部３２ａに対して上下方向に対向する位置に設けられている。ドレンポンプ３７は、従来に比べて内側（中心寄り）に設けられており、これにより、フランジ部３２ｄの下面を底部３２ａの下面３２Ｕよりも上方に配置することが可能になる。その結果、室内機本体３において、上述したように底部３２ａを突出させることができる。ただし、ドレンポンプ３７の位置は、上記の位置に限定されるものではない。
【００５０】
＜動作＞
ファンモータ３３ｂによって羽根車３３ａが回転すると、空調空間Ｓ２の空気（室内空気）が空気吸込口５１から室内機１の内部に吸い込まれる。空気吸込口５１から吸い込まれた空気は、ベルマウス３４によって羽根車３３ａに案内され、熱交換器３１に送られる。熱交換器３１を通過する際に冷媒（冷媒回路を循環する冷媒）と熱交換した空気は、室内機本体３内をケーシング３０の側板３０ｂに沿って下方に流れる。下方に流れる空気は、側板３０ｂと熱交換器３１との間の案内流路３５に案内されて空気吹出口５２に至り、羽根５７によって吹出方向が調節されて空調空間Ｓ２に吹き出される。
【００５１】
＜実施形態のまとめ＞
以上説明したように、本実施形態では、室内機本体３の一部（ドレンパン３２）が下面パネル５側に入り込むことによって室内機１の高さ方向の寸法が低減されている。下面パネル５には、エアフィルタ５３よりも水平方向における空気吹出口５２側にドレンパン配置部５４が設けられており、このドレンパン配置部５４にドレンパン３２の底部３２ａが配置される。したがって、エアフィルタ５３、ドレンパン３２の底部３２ａ及び空気吹出口５２を、この順に水平方向に並べることができる。すなわち、エアフィルタ５３は、ドレンパン３２に対して水平方向に並ぶ位置に配置され、ドレンパン３２の下方には配置されない。したがって、熱交換器、送風機、ベルマウスなどの構成要素部品の高さ寸法を小さくしなくても、天井設置型室内機１の高さ寸法を小さくすることができる。これにより、室内機１の性能低下を抑制しつつ、天井裏の空間Ｓ１の高さが小さい場所にも設置することができる。
【００５２】
本実施形態では、ドレンパン３２の底部３２ａの下面３２Ｕがケーシング３０の下端３０ｃよりも下方に位置するように、ドレンパン３２が配置されている。これにより、ドレンパン３２の底部３２ａをケーシング３０から下方に突出させることができ、そして、下方に突出したドレンパン３２の底部３２ａを、エアフィルタ５３及び空気吹出口５２に対して水平方向に並べることができる。
【００５３】
本実施形態では、ドレンパン３２よりも水平方向における空気吹出口５２側に、空気吹出口５２における空気流路の内壁を構成する流路構成部材５５が配置されている。これにより、流路構成部材５５によって構成される空気流路の内壁に案内される気流を所望の方向に吹き出すことができる。
【００５４】
本実施形態では、例えば冷房運転時において、空気吸込口５１から吸い込まれる暖気と、空気吹出口５２から吹き出される冷気とは、断熱材によって形成されたドレンパン３２によって水平方向に隔てられているので、空気吸込口５１の周辺において結露が生じるのを抑制することができる。したがって、流路構成部材５５は、断熱機能を有していなくてもよいので、流路構成部材５５の厚み（水平方向の寸法）は、空気吹出口５２における空気流路の内壁形状（例えば湾曲形状）を形成できる必要最小限の大きさに設定できる。そして、必要最小限の厚みを有する流路構成部材５５は、補強部材５６によって補強されるので、形状の安定性及び強度が向上する。これにより、室内機の製造時や室内機の現場設置時に、流路構成部材５５を所定の場所に取り付ける作業の作業性が向上するとともに、作業時に流路構成部材５５が損傷を受けることを抑制できる。
【００５５】
本実施形態では、流路構成部材５５がドレンパン３２の下方に設けられていないので、天井設置型室内機１の高さ寸法が大きくなるのをさらに抑制できる。
【００５６】
なお、室内機１の薄型化の他の手段としては、断熱材の厚みを小さくすること、グリル５８の厚みを小さくすること、パネル内枠部５９やパネル外枠部６１の厚みを小さくすること、エアフィルタ５３の山高さを小さくすること、エアフィルタ５３をグリル５８に密着させる構造を採用すること、などが例示できる。
【００５７】
以上、本発明の実施形態について説明したが、本発明は、前記各実施形態に限られるものではなく、その趣旨を逸脱しない範囲で種々変更、改良等が可能である。
【００５８】
例えば、前記実施形態では、矩形状の下面パネル５の４つの辺に沿って４つの空気吹出口５２が設けられている場合を例示したが、これに限られない。空気吹出口５２は、１つであってもよく、２つであってもよく、３つであってもよい。また、前記実施形態では、下面パネル５の４つの角部のそれぞれにも空気吹出口が設けられている場合を例示したが、これらの空気吹出口は省略可能である。
【００５９】
前記実施形態では、流路構成部材５５が設けられている場合を例示したが、これは省略可能である。
【００６０】
前記実施形態では、補強部材５６が設けられている場合を例示したが、これは省略可能である。
【００６１】
前記実施形態では、流路構成部材５５がドレンパン３２の下方に設けられていない場合を例示したが、これに限られない。
【符号の説明】
【００６２】
１  天井設置型室内機
３  室内機本体
５  下面パネル
３０  ケーシング
３０ａ  天板
３０ｂ  側板
３１  熱交換器
３２  ドレンパン
３２ａ  底部
３２ｂ  内側部
３２ｃ  外側部
３２ｄ  フランジ部
３２ｅ  貫通孔
３２Ｕ  底部の下面
３３  送風機
３４  ベルマウス
３５  案内流路
３６  断熱材
３７  ドレンポンプ
５１  空気吸込口
５２  空気吹出口
５３  エアフィルタ
５４  ドレンパン配置部
５５  流路構成部材
５６  補強部材
７１  天井
【図１】
2014129927.tif 000003
【図２】
2014129927.tif 000004
【図３】
2014129927.tif 000005
【図４】
2014129927.tif 000006
【図５】
2014129927.tif 000007
【図６】
2014129927.tif 000008